(57)【要約】【課題】空気調和機の室外機においては、熱交換器の配管の径の違いまたは熱交換器の仕様の違いに応じて外気温センサーホルダーの形状を設計しなければならなかった。【解決手段】熱交換器の仕様、即ち配管径の違いや前記熱交換器のフィンエッジから配管までの寸法の違いに対し、いずれの寸法でも適用でき、熱交換器に付着することができる係止部１ａを設けることにより、熱交換器の仕様に応じて個別に設計していた外気温センサーホルダー１を共通共用化することが出来る。【選択図】図１
2008121948.tif 000002
【特許請求の範囲】
【請求項１】
圧縮機と、送風機とこれらを制御する制御基盤等を収納する電気部品箱と、能力クラスにより配管列数又は配管径の異なる熱交換器と、前記熱交換器の外側に設けられ、外気温を検知する外気温センサーと、前記外気温センサーを収納する外気温センサーホルダーを具備した空気調和機の室外機において、前記外気温センサーホルダーを前記熱交換器の上面より挿入し、前記配管と前記外気温センサーホルダーの側面に設けられた係止部と前記係止部に対面する前記外気温センサーホルダーの面で固定し、上部外郭部品が前記外気温センサーホルダーの上部に当接した構成をなすことを特徴とする空気調和機の室外機。
【請求項２】
係止部は、配管と外気温センサーホルダーの本体との間に挟持する爪部を有していることを特徴とした請求項１に記載の空気調和機の室外機。
【請求項３】
係止部は熱交換器の風上側に挿入することを特徴とした請求項１または２に記載の空気調和機の室外機。
【請求項４】
外気温センサーホルダーには、上部外郭部品を挟む溝部を具備したことを特徴とした請求項１に記載の空気調和機の室外機。
【発明の詳細な説明】
【技術分野】
【０００１】
本発明は空気調和機の室外機に関するもので詳しくは外気温センサーホルダーに関するものである。
【背景技術】
【０００２】
従来、空気調和機の室外機においては、外気温センサーホルダーは、室外機の熱交換器の上部の表面部に懸架して係止されていた。そして配管径又は熱交換器に合わせた係止部が設けられていた。
【０００３】
図５〜図７は従来の空気調和機の室外機の外気温センサーホルダー１１の係止部の斜視図、同室外機全体の斜視図、並びに同外気温センサーホルダーの斜視図である。
【０００４】
同図に示すように、外気温センサーホルダー１１は室外機の熱交換器２の上部の表面部で、係止部１１ａと外気温センサーホルダー１１の本体部分とで熱交換器２を挟持するようにして、丁度、熱交換器２の外表面を跨ぐような形で懸架され、係止されていた。この時、外気温センサーホルダー１１は配管２ｄには接触していない。
【特許文献１】特開２００３−１８５１８７号公報
【発明の開示】
【発明が解決しようとする課題】
【０００５】
しかしながら、前記従来の構成では、配管径違いで、また、熱交換器の構成違いで、外気温センサーホルダーが必要になり、類似部品点数が増え、部品の供給、部品の取り付け間違いに繋がるという課題を有していた。
【０００６】
又、金型投資、物流管理費用等のロス金額が発生するという、課題を有していた。
【０００７】
本発明は、前記従来の課題を解決するもので、配管径違い、熱交換器の構成違いを吸収する係止部と、上部外郭部品をはさみ、動きを規制する形状を具備し、部品の共通化を図ることを目的とした空気調和機の室外機の外気温センサーホルダー固定方法を提供することを目的とする。
【課題を解決するための手段】
【０００８】
前記従来の課題を解決するために本発明は、圧縮機と、送風機とこれらを制御する制御基盤等を収納する電気部品箱と、能力クラスにより配管列数又は配管径の異なる熱交換器と、前記熱交換器の外側に設けられ、外気温を検知する外気温センサーと、前記外気温センサーを収納する外気温センサーホルダーを具備した空気調和機の室外機において、前記外気温センサーホルダーを前記熱交換器の上面より挿入し、前記配管と前記外気温センサーホルダーの側面に設けられた係止部と前記係止部に対面する前記外気温センサーホルダーの面で固定し、上部外郭部品が前記外気温センサーホルダーの上部に当接した構成をなしたものである。
【０００９】
また、係止部は、配管と外気温センサーホルダーの本体との間に挟持する爪部を有したものである。
【００１０】
これによって、配管径違い、熱交換器の構成違いに影響されずに固定することが可能となる。
【００１１】
又、上部外郭部品との嵌合形状を工夫したことにより、動きを規制することが出来る。
【発明の効果】
【００１２】
本発明の外気温センサーホルダー固定は、部品の共通共用化で部品管理の簡素化・金型投資の軽減を実現することができる。
【発明を実施するための最良の形態】
【００１３】
第１の発明は、圧縮機と、送風機とこれらを制御する制御基盤等を収納する電気部品箱と、能力クラスにより配管列数又は配管径の異なる熱交換器と、前記熱交換器の外側に設けられ、外気温を検知する外気温センサーと、前記外気温センサーを収納する外気温センサーホルダーを具備した空気調和機の室外機において、前記外気温センサーホルダーを前記熱交換器の上面より挿入し、前記配管と前記外気温センサーホルダーの側面に設けられた係止部と前記係止部に対面する前記外気温センサーホルダーの面で固定し、上部外郭部品が前記外気温センサーホルダーの上部に当接した構成をなしたものである。
【００１４】
第２の発明は、特に第１の発明の係止部が、配管と外気温センサーホルダーの本体との間に挟持する爪部を有しているものである。
【００１５】
第３の発明は、特に第１または２の発明の係止部を熱交換器の風上側に挿入するものである。
【００１６】
第４の発明は、特に第１の発明の外気温センサーホルダーには、上部外郭部品を挟む溝部を具備したものである。
【００１７】
以下、本発明の実施の形態について、図面を参照しながら説明する。なお、この実施の形態によって本発明が限定されるものではない。
【００１８】
（実施の形態１）
図１〜図４は、本発明の外気温センサーホルダーの係止部の斜視図、同外気温センサーホルダー１と、上部外郭部品３の嵌合状態の斜視図、同空気調和機の室外機全体の斜視図、並びに同外気温センサーホルダー１の斜視図である。図１は、本発明の第１の実施の形態における、熱交換器２に保持する外気温センサーホルダー１を示しており、配管２ｄを挟み込む係止部１ａを設けている。
【００１９】
図２は、本発明の実施の形態における、上部外郭部品３を示しており、又、外気温センサーホルダー１と嵌合する折り返し部３ｃを設けている。
【００２０】
上記の構成によって、外気温センサーホルダー１の動きを規制することが出来る。
【産業上の利用可能性】
【００２１】
以上のように本発明の空気調和機の室外機は熱交換器に付着する部品の共通共用化で部品管理の簡素化・金型投資の軽減を実現することができるので、空気清浄機のように熱交換器を有する製品への適用が可能である。
【図面の簡単な説明】
【００２２】
【図１】本発明の実施の形態１における外気温センサーホルダー１の係止部１ａの斜視図
【図２】本発明の実施の形態１における外気温センサーホルダー１と、上部外郭部品３の嵌合状態の斜視図
【図３】本発明の実施の形態１における空気調和機の室外機全体の斜視図
【図４】本発明の実施の形態１における外気温センサーホルダー１の斜視図
【図５】従来の実施の形態における外気温センサーホルダー１１の係止部１１ａの斜視図
【図６】従来の実施の形態における空気調和機の室外機全体の斜視図
【図７】従来の実施の形態における外気温センサーホルダー１１の斜視図
【符号の説明】
【００２３】
１  外気温センサーホルダー
１ａ  係止部
１ｂ  溝部
２  熱交換器
２ｄ  配管
３  上部外郭部品
３ｃ  折り返し部
１１  従来外気温センサーホルダー
１１ａ  係止部
【図３】
2008121948.tif 000003
【図４】
2008121948.tif 000004
【図６】
2008121948.tif 000005
【図１】
2008121948.tif 000006
【図２】
2008121948.tif 000007
【図５】
2008121948.tif 000008
【図７】
2008121948.tif 000009